(57)【要約】【課題】既存のインダクタンス素子に対して少々の構成を追加することで容易に製造することのできるインダクタンス素子を提供すること。【解決手段】インダクタンス素子１４ａは、トロイダル形状の磁気コア１５をリング状の絶縁性ケース１６に組み込んでなる組込体に対して被覆導線１７，１８を巻回して形成したインダクタンス主部と、該インダクタンス主部を少なくとも部分的に覆う絶縁体２２ａと、絶縁体２２ａ上に巻回された線状導体２３ａとを備えている。ここで、被覆導線１７，１８、絶縁体２２ａ及び線状導体２３ａはキャパシタを構成している。【選択図】図１
2008098305.tif 000002
【特許請求の範囲】
【請求項１】
磁気コア及びコイルを有するインダクタンス主部と、該インダクタンス主部を少なくとも部分的に覆う絶縁体と、該絶縁体上に巻回された線状導体とを備え、前記コイル、前記絶縁体、前記線状導体はキャパシタを構成している、インダクタンス素子。
【請求項２】
前記インダクタンス主部は、前記磁気コアの外周を覆う絶縁性ケースを備えており、前記コイルは、前記磁気コアを前記絶縁性ケースに組み込んでなる組込体に対して被覆導線を巻回してなる、請求項１記載のインダクタンス素子。
【請求項３】
前記絶縁物は、前記インダクタンス主部に含まれる前記コイルの全面を覆っている、請求項１又は請求項２記載のインダクタンス素子。
【請求項４】
前記線状導体の一端は、グランド端子として機能する、請求項１乃至請求項３のいずれかに記載のインダクタンス素子。
【請求項５】
請求項１乃至請求項４のいずれかに記載のインダクタンス素子を備えたフィルタ回路。
【請求項６】
請求項５記載のフィルタ回路を備えたスイッチング電源装置。
【発明の詳細な説明】
【技術分野】
【０００１】
本発明は、主として交流線（ＡＣライン）等においてノイズフィルタとして用いられるインダクタンス素子に関する。
【背景技術】
【０００２】
インダクタンス素子が高周波領域にて用いられる際にコイルの線間容量がノイズ抑制に与える悪影響を排除するために、磁気コアを接地すると共に接地された磁気コアに被覆導線を直接巻回することでコイルを形成する技術が提案されている（例えば、特許文献１及び特許文献２参照）。
【０００３】
これに対して、被覆導線における被覆の耐電圧などを問題とし、接地導体を形成された磁気コア上に、誘電体及び近接導体を順に形成し、更にその上に被覆導線を巻回することにより、磁気コアと被覆導線とを離し、それによって信頼性を高めたものも提案されている（特許文献３参照）。
【０００４】
【特許文献１】特開平９−１０２４２６号公報
【特許文献２】特開２００４−３１１８６６号公報
【特許文献３】特開２００４−２３５７０９号公報
【発明の開示】
【発明が解決しようとする課題】
【０００５】
しかしながら、上述した特許文献１乃至特許文献３に開示された技術は、いずれも特殊な構成を有するものであり、汎用性が低い上、既に製造されてしまったインダクタンス素子には適用することができない。
【０００６】
そこで、本発明は、既存のインダクタンス素子に対して少々の構成を追加することで容易に製造することのできるインダクタンス素子を提供することを目的とする。
【課題を解決するための手段】
【０００７】
本発明は、上述した課題を解決するための手段として、磁気コア及びコイルを有するインダクタンス主部と、該インダクタンス主部を少なくとも部分的に覆う絶縁体と、該絶縁体上に巻回された線状導体とを備え、前記コイル、前記絶縁体、前記線状導体はキャパシタを構成している、インダクタンス素子を提供する。
【発明の効果】
【０００８】
本発明によれば、既存のインダクタンス素子に対して絶縁物を設けて、更に絶縁物の上から線状導体を巻回することにより、コイルを構成する被覆導線間に発生する線間容量をキャンセルしうるだけの大きな容量を有するキャパシタを追加することができる。
【０００９】
また、インダクタンス素子に付加されるキャパシタの容量は、線状導体の巻回数によって調整可能であり、様々な状況に柔軟に対応することができる。
【発明を実施するための最良の形態】
【００１０】
以下、本発明の実施の形態について図面を用いて詳細に説明する。以下に説明する実施の形態におけるインダクタンス素子は、コモンモード用のものであり、被覆導線を２本備えて構成したものであるが、本発明はこれに限定されるものではなく、被覆導線を１本のみ用いたノーマルモード用のインダクタンス素子にも適用可能である。
【００１１】
図１及び図２に示されるように、本発明の実施の形態によるインダクタンス素子１４ａは、トロイダル形状の磁気コア１５と、磁気コア１５の外周表面を覆うリング状の絶縁性ケース１６と、絶縁性ケース１６に磁気コア１５を組み込んでなる組込体に被覆導線１７，１８を巻回して形成したコイルとからなるインダクタンス主部を備えている。
【００１２】
ここで、被覆導線１７，１８は、例えば、ウレタン線又はエナメル線からなる。尚、被覆導線１７，１８のリード部分は、実際には等間隔に引き出されるものであるが、図１においては、理解を容易にするために幾分間隔をずらして示してある。
【００１３】
更に、本実施の形態におけるインダクタンス素子１４ａは、インダクタンス主部、特に、コイルを少なくとも部分的に覆う絶縁体２２ａと、絶縁体２２ａ上に巻回された線状導体２３ａを備えている。
【００１４】
本実施の形態における絶縁体２２ａは、絶縁テープである。既存のインダクタンス主部に対しても容易に巻きつけることができる。絶縁テープに代えて、例えば、樹脂を塗布するなど他の手法を用いても良い。また、本実施の形態においては、絶縁物２２ａが被覆導線１８を部分的に覆っている例について説明したが、被覆導線１７及び１８の全面が絶縁物２２ａにより覆われている方が好ましい。
【００１５】
本実施の形態における線状導体２３ａは、ショートリング防止のため、絶縁被覆されている。特に、本実施の形態における線状導体２３ａは絶縁被覆された銅線であり、その一端はグランド端子２１ａとして実使用時には接地される。
【００１６】
なお、導体２３ａを被覆導線１７，１８と重複させる個所や面積等は、被覆導線１７，１８の巻回数（ターン数），太さ，長さや、磁気コア１５の大きさ，材料特性等により適宜変更することが可能である。
【００１７】
図３及び図４を参照すると、線状導体の巻回の仕方やグランド端子の引き出し方についての変形例が示されている。図３に示される例においては、ほぼ全体に亘って被覆導線１７，１８を絶縁体２２ｂ１及び２２ｂ２により覆い、更に絶縁体２２ｂ１及び２２ｂ２上に１本の線状導体２３ｂを巻回している。線状導体２３ｂの一端はグランド端子２１ｂとして使用される。図４に示される例においては、ほぼ全面に亘って被覆導線１７，１８を絶縁体２２ｃ１及び２２ｃ２により覆い、更に絶縁体２２ｃ１及び２２ｃ２上にそれぞれ線状導体２３ｃ１及び２３ｃ２を巻回している。線状導体２３ｃ１及び２３ｃ２のそれぞれの一端は、グランド端子２１ｃ１，２１ｃ２として使用される。図示された例において、線状導体２３ｃ１及び２３ｃ２のそれぞれの他端は、互いに接続されていないが、これらを接続することとしても良い。
【産業上の利用可能性】
【００１８】
本発明は、例えば、ノイズフィルタやノイズフィルタを備えたスイッチング電源装置に適用することができる。
【図面の簡単な説明】
【００１９】
【図１】本発明の第１の実施の形態によるインダクタンス素子を示す正面図である。
【図２】図１に示されるインダクタンス素子の側面図である。
【図３】図１に示されるインダクタンス素子の変形例を示す正面図である。
【図４】図１に示されるインダクタンス素子の他の変形例を示す正面図である。
【符号の説明】
【００２０】
１４ａ，１４ｂ，１４ｃ  インダクタンス素子
１５  磁気コア
１６  絶縁性ケース
１７，１８  被覆導線
２１ａ，２１ｂ，２１ｃ１，２１ｃ２  グランド端子
２２ａ，２２ｂ１，２２ｂ２，２２ｃ１，２２ｃ２  絶縁体
２３ａ，２３ｂ，２３ｃ１，２３ｃ２  線状導体
【図１】
2008098305.tif 000003
【図２】
2008098305.tif 000004
【図３】
2008098305.tif 000005
【図４】
2008098305.tif 000006